(57)【要約】      （修正有）【課題】歪んだり変形したりして損壊することを防ぎ、製造された時点ですでに標準化及び規格化がなされているため、構造の正確性及び平行性に悪影響を与えることを防ぐ椅子の腰保護構造を提供する。【解決手段】椅子の腰保護構造は、椅子、腰保護機構６０及び腰保護パッド７０を備える。椅子の背凭れ部５１には、凹槽５２が形成され、凹槽５２の上側壁には、開口部に向かって上斜め前方に傾斜した傾斜部が形成される。腰保護パッド７０は、腰保護機構６０と接続されて凹槽５２内に取り付けられ、腰保護パッド７０の頂面には、凹槽５２の傾斜部に対応するように、上斜め前方に傾斜した傾斜部が形成され、凹槽５２の傾斜部及び腰保護パッド７０の傾斜部により、人体が押し当てられたときに生じる斜め後ろ方向への圧力を打ち消す。【選択図】図４
0003190848.tif 000002
【実用新案登録請求の範囲】
【請求項１】
椅子、腰保護機構及び腰保護パッドを備えた椅子の腰保護構造であって、
前記椅子の背凭れ部には、凹槽を有し、前記凹槽の頂面には、開口部に向かって上斜め前方に傾斜した傾斜部を有し、
前記腰保護パッドは、前記腰保護機構と接続し前記凹槽内に位置し、
前記腰保護パッドの頂面には、前記凹槽の前記傾斜部に対応する上斜め前方に傾斜した傾斜部を有し、
前記凹槽の前記傾斜部及び前記腰保護パッドの前記傾斜部は、人体が押し当てられたときに生じる斜め後ろ方向への圧力を打ち消すことを特徴とする椅子の腰保護構造。
【請求項２】
椅子、腰保護機構及び腰保護パッドを備えた椅子の腰保護構造であって、
前記椅子の背凭れ部には、凹槽を有し、
前記腰保護パッドは、前記腰保護機構と接続し前記凹槽内に位置し、
前記腰保護機構は、前記腰保護パッドと前記凹槽との間に、互いに垂直に交差して枢着された２つの連動ロッドセットを有し、
前記２つの連動ロッドセットの第１の連動ロッド及び第３の連動ロッドの両端部は、前記凹槽の底面に接続された第１のロックスライダ板上の長尺状の２つのスライド溝に位置する移動軸と、前記腰保護パッドの背面に接続された第２のロックスライダ板上の長尺状の２つのスライド溝に位置する潤滑軸と、にそれぞれ枢着し、
前記２つの連動ロッドセットの第２の連動ロッド及び第４の連動ロッドの両端部は、前記凹槽の底面に接続された第１の枢着座棒の両端の枢着座上と、前記腰保護パッドの背面に接続された第２の枢着座棒の両端の枢着座上と、にそれぞれ枢着し、
前記移動軸には、伸縮シリンダが枢着し、
前記伸縮シリンダのシリンダ棒は、Ｌ字状板座の貫通孔に挿通し、前記背凭れ部の底部から制御押しボタンが突出し、
前記制御押しボタンの押圧時、前記伸縮シリンダから延びて前記移動軸を押して前記２つの連動ロッドセットに当接し、前記腰保護パッドが前方へ押し出されることを特徴とする椅子の腰保護構造。
【考案の詳細な説明】
【技術分野】
【０００１】
本考案は、椅子の腰保護構造に関し、特に、腰保護パッド及び凹槽の傾斜部により、人体の腰部が押し当てられたときに生じる斜め後ろ方向への圧力を打ち消し、２つの連動ロッドセットが圧力を受ける方向が、腰保護パッドに腰が押し当てられて圧力が生じる方向と同じである上、枢着座棒又はロックスライダ板が接続されて２つの枢着座又は２つのスライド溝が形成されているため、構造の正確性及び平行性に悪影響を与えることを防ぐ椅子の腰保護構造に関する。
【背景技術】
【０００２】
図１及び図２に示すように、特許文献１が開示する従来の椅子の調整式頭及び腰のパッド構造の椅子１０の背凭れ部１１には、人体の腰部に対応した位置に形成された凹槽１２に腰パッド３０が取り付けられている。腰パッド３０と凹槽１２との間には、２つの連動ロッドセット３１，３１’及び連動ロッドセット３２，３２’が交差されて枢着されている。２つの連動ロッドセット３１，３１’及び連動ロッドセット３２，３２’は、凹槽１２に設置される腰パッド３０の枢着座３３，３３’，３４，３４’に一端が枢着され、凹槽１２に設置される腰パッド３０のロックスライダ３５，３５’，３６，３６’に他端が枢着されている。スライド溝３７の一端には、押し棒３８が取り付けられる。押し棒３８及び凹槽１２の側部に設けられた伸縮シリンダ４０の基部に接続されたフック部材４２が係合して連動し、伸縮シリンダ４０のシリンダ棒４１の末端は、接続片４３を介して背凭れ部１１の側部に固設される。シリンダ棒４１の末端の所定の制御ボタン４４は、背凭れ部１１の側面に突設され、押圧部材４５を操作して制御ボタン４４を駆動させると伸縮シリンダ４０の伸縮動作を行って伸縮シリンダ４０の直線運動が保持され、凹槽１２の底側に設けた裏板１３には、固定片３９を介して伸縮シリンダ４０が固定される。
【０００３】
従来の椅子の調整式頭及び腰のパッド構造は、枢着座３４，３４’及びロックスライダ３６，３６’のそれぞれが単一の固体部材であるため、組立の正確性及び平行性が十分でない虞があった。
【０００４】
従来の椅子の調整式頭及び腰のパッド構造は、連動ロッドセット３１，３１’及び連動ロッドセット３２，３２’が水平状態にあり、腰パッド３０と結合されるが、腰パッド３０が受ける圧力が斜め後ろ向きの方向であるため、水平設置の連動ロッドセット３１，３１’及び連動ロッドセット３２，３２’が歪んで変形し、最悪の場合、腰パッド３０が動かなくなる虞がある。そのため、上述した従来構造が有する問題点を改善する技術が求められていた。
【先行技術文献】
【特許文献】
【０００５】
【特許文献１】台湾実用新案登録第２６４９４９号公報
【考案の概要】
【考案が解決しようとする課題】
【０００６】
本考案の目的は、腰保護パッド及び凹槽の傾斜部により、人体の腰部が押し当てられたときに生じる斜め後ろ方向への圧力を打ち消し、２つの連動ロッドセットが圧力を受ける方向が、腰保護パッドに腰が押し当てられて圧力が生じる方向と同じである上、枢着座棒又はロックスライダ板が接続されて２つの枢着座又は２つのスライド溝が形成されるため、構造の正確性及び平行性に悪影響を与えることを防ぐ椅子の腰保護構造を提供することにある。
【課題を解決するための手段】
【０００７】
上記課題を解決するために、本考案の第１の形態によれば、椅子、腰保護機構及び腰保護パッドを備えた椅子の腰保護構造であって、前記椅子の背凭れ部には、凹槽が形成され、前記凹槽の頂面には、開口部に向かって上斜め前方に傾斜した傾斜部が形成され、前記腰保護パッドは、前記腰保護機構と接続されて前記凹槽内に取り付けられ、前記腰保護パッドの頂面には、前記凹槽の前記傾斜部に対応するように、上斜め前方に傾斜した傾斜部が形成され、前記凹槽の前記傾斜部及び前記腰保護パッドの前記傾斜部により、人体が押し当てられたときに生じる斜め後ろ方向への圧力を打ち消すことを特徴とする椅子の腰保護構造が提供される。
【０００８】
上記課題を解決するために、本考案の第２の形態によれば、椅子、腰保護機構及び腰保護パッドを備えた椅子の腰保護構造であって、前記椅子の背凭れ部には、凹槽が形成され、前記腰保護パッドは、前記腰保護機構と接続されて前記凹槽内に取り付けられ、前記腰保護機構は、前記腰保護パッドと前記凹槽との間に、互いに垂直に交差させて枢着された２つの連動ロッドセットを有し、前記２つの連動ロッドセットの第１の連動ロッド及び第３の連動ロッドの両端部が、前記凹槽の底面に接続された第１のロックスライダ板上の長尺状の２つのスライド溝に位置する移動軸と、前記腰保護パッドの背面に接続された第２のロックスライダ板上の長尺状の２つのスライド溝に位置する潤滑軸と、にそれぞれ枢着され、前記２つの連動ロッドセットの第２の連動ロッド及び第４の連動ロッドの両端部は、前記凹槽の底面に接続された第１の枢着座棒の両端の枢着座上と、前記腰保護パッドの背面に接続された第２の枢着座棒の両端の枢着座上と、にそれぞれ枢着され、前記移動軸には、伸縮シリンダが枢着され、前記伸縮シリンダのシリンダ棒は、Ｌ字状板座の貫通孔に挿通された後、前記背凭れ部の底部から制御押しボタンが突出され、前記制御押しボタンが押圧されると、前記伸縮シリンダから延びて前記移動軸を押して前記２つの連動ロッドセットに当接され、前記腰保護パッドが前方へ押し出されることを特徴とする椅子の腰保護構造が提供される。
【考案の効果】
【０００９】
本考案の椅子の腰保護構造は、腰保護パッド及び凹槽の傾斜部により、人体の腰部が押し当てられたときに生じる斜め後ろ方向への圧力を打ち消し、２つの連動ロッドセットが圧力を受ける方向が、腰保護パッドに腰が押し当てられて圧力が生じる方向と同じである上、枢着座棒又はロックスライダ板が接続されて２つの枢着座又は２つのスライド溝が形成されているため、構造の正確性及び平行性に悪影響を与えることがない。
【図面の簡単な説明】
【００１０】
【図１】図１は、従来の椅子の調整式頭及び腰の保護構造を示す分解斜視図である。
【図２】図２は、従来の椅子の調整式頭及び腰の保護構造を示す断面図である。
【図３】図３は、本考案の一実施形態に係る椅子の腰保護構造を事務用椅子に利用するときの状態を示す斜視図である。
【図４】図４は、事務用椅子に本考案の一実施形態に係る椅子の腰保護パッドの分離状態を示す斜視図である。
【図５】図５は、本考案の一実施形態に係る椅子の腰保護パッドの傾斜部が斜め前へ圧力を加える状態を示す動作図である。
【図６】図６は、本考案の一実施形態に係る椅子の腰保護パッドが押し出されたときの状態を示す断面図である。
【図７】図７は、本考案の一実施形態に係る椅子の腰保護パッドによりユーザの腰部を支えて保護するときの状態を示す断面図である。
【考案を実施するための形態】
【００１１】
以下、本考案の実施形態について図に基づいて説明する。なお、これによって本考案が限定されるものではない。
【００１２】
図３〜図５を参照する。図３〜図５に示すように、本考案の一実施形態に係る椅子の腰保護構造は、少なくとも椅子５０、腰保護機構６０及び腰保護パッド７０から構成される。
【００１３】
椅子５０の背凭れ部５１には、凹槽５２が形成される。凹槽５２の頂面には、開口部５３に向かって上斜め前方に傾斜した傾斜部５２１が形成される。
【００１４】
腰保護パッド７０は、腰保護機構６０と接続されて凹槽５２内に取り付けられる。腰保護パッド７０の頂面には、凹槽５２の傾斜部５２１に対応するように、上斜め前方に傾斜した傾斜部７１が形成され、人体が押し当てられて発生する斜め後ろ方向の圧力を傾斜部５２１，７１により打ち消す。
【００１５】
図４〜図７を参照する。図４〜図７に示すように、本考案の一実施形態に係る椅子の腰保護構造は、少なくとも椅子５０、腰保護機構６０及び腰保護パッド７０から構成される。
【００１６】
椅子５０の背凭れ部５１には、凹槽５２が形成される。
【００１７】
腰保護パッド７０は、腰保護機構６０と接続されて凹槽５２内に取り付けられる。腰保護機構６０は、腰保護パッド７０と凹槽５２との間に、２つの連動ロッドセットが垂直に交差されて枢着され、２つの連動ロッドセットの第１の連動ロッド８１及び第３の連動ロッド８３の両端部８１１，８１２，８３１，８３２が、凹槽５２の底面に接続された第１のロックスライダ板８５上の長尺状の２つのスライド溝８５１に位置する移動軸８５２と、腰保護パッド７０の背面に接続された第２のロックスライダ板７２上の長尺状の２つのスライド溝７２１に位置する潤滑軸７２２と、にそれぞれ枢着される。２つの連動ロッドセットの第２の連動ロッド８２及び第４の連動ロッド８４の両端部８２１，８２２，８４１，８４２は、凹槽５２の底面に接続された第１の枢着座棒５４の両端の枢着座５４１上と、腰保護パッド７０の背面に接続された第２の枢着座棒７３の両端の枢着座７３１上と、にそれぞれ枢着される。移動軸８５２には、伸縮シリンダ９１が枢着される。伸縮シリンダ９１のシリンダ棒９１１は、Ｌ字状板座９２の貫通孔９２１に挿通された後、背凭れ部５１の底部から制御押しボタン９３が突出され、制御押しボタン９３が押圧されると、伸縮シリンダ９１から延びて移動軸８５２を押して２つの連動ロッドセットに当接され、腰保護パッド７０が前方へ押し出される。
【００１８】
この構成により、ユーザの体が背凭れ部５１に寄り掛かると、腰部がちょうど腰保護パッド７０上に当たり、腰保護パッド７０及び凹槽５２の傾斜部５２１，７１により、人体の腰部の斜め後ろへ加える圧力が打ち消される。また、その垂直方向の２つの連動ロッドセットの圧力を受ける方向が、腰保護パッド７０が腰部から加わる圧力の方向と同じであるため、２つの連動ロッドセットが歪んで変形することを防ぎ、使用寿命が長くなり損壊することを防ぐこともできる。また、枢着座棒５４，７３又はロックスライダ板７２，８５がともに一体成形されて２つの枢着座５４１，７３１又は２つのスライド溝７２１，８５１が形成されるため、製造された時点で既に標準化及び規格化がなされている。そのため、構造の正確性及び平行性に問題が生じることを防ぐ。
【００１９】
上述したことから分かるように、本考案の椅子の腰保護構造は、腰保護パッド及び凹槽の傾斜部により、人体の腰部が押し当てられたときに生じる斜め後ろ方向への圧力を打ち消し、２つの連動ロッドセットが圧力を受ける方向が、腰保護パッドに腰が当てられて圧力が生じる方向と同じである上、枢着座棒又はロックスライダ板が接続されて２つの枢着座又は２つのスライド溝が形成されているため、構造の正確性及び平行性に悪影響を与えることを防ぐ。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１０    椅子
１１    背凭れ部
１２    凹槽
１３    裏板
３０    腰パッド
３１    連動ロッドセット
３１’  連動ロッドセット
３２    連動ロッドセット
３２’  連動ロッドセット
３３    枢着座
３３’  枢着座
３４    枢着座
３４’  枢着座
３５    ロックスライダ
３５’  ロックスライダ
３６    ロックスライダ
３６’  ロックスライダ
３７    スライド溝
３８    押し棒
３９    固定片
４０    伸縮シリンダ
４１    シリンダ棒
４２    フック部材
４３    接続片
４４    制御ボタン
４５    押圧部材
５０    椅子
５１    背凭れ部
５２    凹槽
５３    開口部
５４    第１の枢着座棒
６０    腰保護機構
７０    腰保護パッド
７１    傾斜部
７２    第２のロックスライダ板
７３    第２の枢着座棒
８１    第１の連動ロッド
８２    第２の連動ロッド
８３    第３の連動ロッド
８４    第４の連動ロッド
８５    第１のロックスライダ板
９１    伸縮シリンダ
９２    Ｌ字状板座
９３    制御押しボタン
５２１  傾斜部
５４１  枢着座
７２１  スライド溝
７２２  潤滑軸
７３１  枢着座
８１１  端部
８１２  端部
８２１  端部
８２２  端部
８３１  端部
８３２  端部
８４１  端部
８４２  端部
８５１  スライド溝
８５２  移動軸
９１１  シリンダ棒
９２１  貫通孔
【図１】
0003190848.tif 000003
【図２】
0003190848.tif 000004
【図３】
0003190848.tif 000005
【図４】
0003190848.tif 000006
【図５】
0003190848.tif 000007
【図６】
0003190848.tif 000008
【図７】
0003190848.tif 000009
【手続補正書】
【提出日】平成26年3月20日(2014.3.20)
【手続補正１】
【補正対象書類名】実用新案登録請求の範囲
【補正対象項目名】全文
【補正方法】変更
【補正の内容】
【実用新案登録請求の範囲】
【請求項１】
椅子、腰保護機構及び腰保護パッドを備えた椅子の腰保護構造であって、
前記椅子の背凭れ部には、凹槽を有し、前記凹槽の上側壁には、開口部に向かって上斜め前方に傾斜した傾斜部を有し、
前記腰保護パッドは、前記腰保護機構と接続し前記凹槽内に位置し、
前記腰保護パッドの頂面には、前記凹槽の前記傾斜部に対応する上斜め前方に傾斜した傾斜部を有し、
前記腰保護機構は、前記腰保護パッドと前記凹槽との間に、互いに垂直に交差して枢着された２つの連動ロッドセットを有し、
前記２つの連動ロッドセットの第１の連動ロッド及び第３の連動ロッドの一端部は、前記凹槽底面のスライド溝に枢着し、他端部は、前記腰保護パッド背面のスライド溝に枢着し、
前記２つの連動ロッドセットの第２の連動ロッド及び第４の連動ロッドの一端部は、前記凹槽底面の第１の枢着座棒に枢着し、他端部は、前記腰保護パッド背面の第２の枢着座棒に枢着し、
前記凹槽の前記傾斜部及び前記腰保護パッドの前記傾斜部は、人体が押し当てられたときに生じる斜め後ろ方向への圧力を打ち消すことを特徴とする椅子の腰保護構造。
【請求項２】
椅子、腰保護機構及び腰保護パッドを備えた椅子の腰保護構造であって、
前記椅子の背凭れ部には、凹槽を有し、
前記腰保護パッドは、前記腰保護機構と接続し前記凹槽内に位置し、
前記腰保護機構は、前記腰保護パッドと前記凹槽との間に、互いに垂直に交差して枢着された２つの連動ロッドセットを有し、
前記２つの連動ロッドセットの第１の連動ロッド及び第３の連動ロッドの両端部は、前記凹槽の底面に接続された第１のロックスライダ板上の長尺状の２つのスライド溝に位置する移動軸と、前記腰保護パッドの背面に接続された第２のロックスライダ板上の長尺状の２つのスライド溝に位置する潤滑軸と、にそれぞれ枢着し、
前記２つの連動ロッドセットの第２の連動ロッド及び第４の連動ロッドの両端部は、前記凹槽の底面に接続された第１の枢着座棒の両端の枢着座上と、前記腰保護パッドの背面に接続された第２の枢着座棒の両端の枢着座上と、にそれぞれ枢着し、
前記移動軸には、伸縮シリンダが枢着し、
前記伸縮シリンダのシリンダ棒は、Ｌ字状板座の貫通孔に挿通し、前記背凭れ部の底部から制御押しボタンが突出し、
前記制御押しボタンの押圧時、前記伸縮シリンダから延びて前記移動軸を押して前記２つの連動ロッドセットに当接し、前記腰保護パッドが前方へ押し出されることを特徴とする椅子の腰保護構造。